(57)【要約】      （修正有）【課題】洋式トイレの便器の汚れが衣類に付着しないようにした、便座用芳香剤付き衣類汚れ防止具を提供する。【解決手段】三日月形状のプラスチック部材の裏面上端部に、両面テープ２を粘着固定し、袋体３を固定手段で固定し、袋体３に芳香剤４を充填し、プラスチック部材表面上端部の両端に粘着テープ８を設け、プラスチック部材と袋体３を貫通する芳香放出孔５を適宜個数設ける。なお、好ましくはプラスチック部材はＰＰシート１であることが望ましく、固定手段は溶着または両面テープによる粘着が望ましい。【選択図】図２
0003184290.tif 000002
【実用新案登録請求の範囲】
【請求項１】
三日月形状のプラスチック部材裏面上端部に両面テープを粘着固定し、該プラスチック部材表面上端部の両端に粘着テープを設け、袋体を該プラスチック部材裏面に固定手段で固定し、該袋体に芳香剤を充填し、該袋体と該プラスチック部材を貫通する芳香放出孔を適宜個数設けたことを特徴とする便座用芳香剤付き衣類汚れ防止具。
【請求項２】
プラスチック部材が、ＰＰシートであることを特徴とした請求項１に記載の便座用芳香剤付き衣類汚れ防止具。
【請求項３】
固定手段が、両面テープによる粘着固定であることを特徴とする請求項１または請求項２に記載の便座用芳香剤付き衣類汚れ防止具。
【請求項４】
固定手段が、溶着であることを特徴とする請求項１または請求項２に記載の便座用芳香剤付き衣類汚れ防止具。
【考案の詳細な説明】
【技術分野】
【０００１】
本考案は、便座用芳香剤付き衣類防止具に関する。詳しくは、洋式トイレのいやな臭いを消し、便器の汚れを衣服に付着させないための防止具に関するものである。
【背景技術】
【０００２】
従来から臭い消しの芳香剤はあるが、洋式トイレの便座に腰を下ろした際に、下げたパンツやズボンが便器に触れるのを防止するものは無く、一見綺麗に見える便器の外側も不潔なことがある。もし、便器が汚れていれば、下げたパンツやズボンにその汚れが付くと不潔であるため、安心して用を足せないという悩みがあった。
【０００３】
そうした問題を解決すべく、洋式トイレ便器の汚れが衣類に付着するのを防止するための考案として、次の実用新案が公開されている。これは便器本体上のリム部上面と内周面に汚れが付着しないようにした便器汚れ防止カバーで、リム部を水溶性カバーですっぽりと覆うことにより、飛散した小水を水溶性カバーに吸収させるものである。
【０００４】
しかし、これでは便座に腰かけて用を足す際に水溶性カバーに付着した小水の汚れが衣類に触れることには変わりなく、衛生的ではなく、何の解決にもならないという致命的な欠陥があった。加えて、水溶性カバーは大きいものであるにも拘わらず、汚れる度に頻繁に捨てるのは非常に不経済であるという欠点もあった。
【先行技術文献】
【特許文献】
【０００５】
【特許文献１】実用新案公開第平７−３９６９７号
【考案の概要】
【考案が解決しようとする課題】
【０００６】
不特定多数の人が使う公共施設のトイレは、便器の汚れが気になるもので、知らずに腰を下ろすと、気付かないうちに触れてしまっていることがよくある。まして、洋式トイレがあっても男女兼用トイレであれば男性は立って小便をするため飛び散ることが多く、便座に腰を下ろす女性は特に汚れを気にして敬遠しがちである。本考案は、以上の欠点を解決するためになされたものである。
【課題を解決するための手段】
【０００７】
課題を解決するために第１の考案は、三日月形状のプラスチック部材裏面上端部に両面テープを粘着固定し、該プラスチック部材表面上端部の両端に粘着テープを設け、袋体を該プラスチック部材裏面に固定手段で固定し、該袋体に芳香剤を充填し、該袋体と該プラスチック部材を貫通する芳香放出孔を適宜個数設けたことを特徴とする便座用芳香剤付き衣類汚れ防止具である。
【０００８】
第２の考案は、請求項１に記載の便座用芳香剤付き衣類汚れ防止具において、該プラスチック部材１はＰＰシート１であることを特徴とする。
【０００９】
第３の考案は、請求項１または請求項２に記載の便座用芳香剤付き衣類汚れ防止具において、固定手段が両面テープによる粘着であることを特徴とする。
【００１０】
第４の考案は、請求項１または請求項２に記載の便座用芳香剤付き衣類汚れ防止具において、固定手段が溶着であることを特徴とする。
【考案の効果】
【００１１】
本考案を使用することによって、不特定多数の人が使う公共施設のトイレでも不潔なイメージが解消されて、香りよく清潔で安心して用を足せるという効果がある。
【図面の簡単な説明】
【００１２】
【図１】本考案の一実施例の正面図
【図２】本考案の一実施例の背面図
【図３】Ａ−Ａ線切断拡大端面図
【図４】本考案を便座に設置した状態を示す斜視図
【図５】本考案を設置した便座を持ち上げた状態を示す斜視図
【図６】従来の便座の使用状態図
【図７】本考案を設置した便座の使用状態図
【考案を実施するための形態】
【００１３】
洋式トイレの便器の汚れ付着を防止し、しかも厭な臭いを消して芳香を放出するという目的を、最小の部品点数で実現した。
【実施例】
【００１４】
以下、図１〜７により本考案の一実施例を説明する。
【００１５】
図１は本考案の一実施例の正面図である。図１において、１はＰＰシート、５は芳香放出孔、８は粘着テープである。三日月形状のＰＰシート１の上端部両端に粘着テープを設ける。なお、ＰＰシート１からはみ出させた部分の粘着テープ８の剥離紙９は付けたままとしておく。また、図２は図１の背景図である。図２において、１，５は図１と同様である。２は両面テープ、３は袋体、４は芳香剤、９は剥離紙である。この剥離紙９の表には、粘着テープ８が粘着されている。図２の該ＰＰシート１の裏面上端部に両面テープ２を粘着固定し、該ＰＰシート１の裏面に袋体３を溶着する。この場合、溶着という固定手段に替えて両面テープで該ＰＰシート１と袋体３を粘着固定しても良い。また、該袋体３に芳香剤４を充填し、該袋体３と該ＰＰシート１を貫通する適宜個数の芳香放出孔５を設ける。なお、図３は図２のＡ−Ａ線切断端面図である。図３において１〜５、９は図２と同様である。８は粘着テープである。
【００１６】
図４と図５は本考案を便座に設置した状況を図示したものである。図４と５において１、５、８は図１と同様である。６は便座、７は便器である。本考案の使用に当たっては、ＰＰシート１の裏面上端部を便座６の前部に両面テープ２で粘着固定し、更に該ＰＰシート１表面上端部の両端に設けてある粘着テープで粘着固定するだけである。
【００１７】
図６は従来からの洋式トイレの使用状態図であり、図中、７は便器である。また、図７の１はＰＰシート、５は芳香放出孔、８は粘着テープである。図７の本考案を設置した便座の使用状態図にあるとおり、ズボン等と便器７の間に本考案が位置するので、用を足す時に下げたズボン等が便器７に触れることがなくなるため、たとえ便器７が汚れていたとしてもズボン等に汚れが付くことがなくなる。
【符号の説明】
【００１８】
１  ＰＰシート
２  両面テープ
３  袋体
４  芳香剤
５  芳香放出孔
６  便座
７  便器
８  粘着テープ
９  剥離紙
【図１】
0003184290.tif 000003
【図２】
0003184290.tif 000004
【図３】
0003184290.tif 000005
【図４】
0003184290.tif 000006
【図５】
0003184290.tif 000007
【図６】
0003184290.tif 000008
【図７】
0003184290.tif 000009